(57)【要約】【課題】発光モジュールおよび電源回路がそれぞれ発生する熱の放熱性を確保するとともに、小形化できる照明器具を提供する。【解決手段】照明器具10は、発光モジュール42、電源回路51および筐体12を有する。電源回路51は、発光モジュール42に電源を供給する。筐体12は、下面に発光モジュール42を配設するとともに内部に電源回路51を収容する本体部26、および本体部26の外周面から一体に突出する複数の放熱フィン27を有する。【選択図】図１
2015170442.tif 000002
【特許請求の範囲】
【請求項１】
発光モジュールと；
前記発光モジュールに電源を供給する電源回路と；
下面に前記発光モジュールを配設するとともに内部に前記電源回路を収容する本体部、および前記本体部の外周面から一体に突出する複数の放熱フィンを有する筐体と；
を具備することを特徴とする照明器具。
【請求項２】
前記筐体は、前記本体部の周囲に前記本体部の外周面との間に間隔をあけて配置されるとともに前記複数の放熱フィンの先端に一体に形成された外筒部を有する
ことを特徴とする請求項１記載の照明器具。
【請求項３】
前記本体部の内部の底面に取り付けられる取付部、この取付部から上端側が拡開するように傾斜されて立ち上がる立上げ部、および立上げ部の上端に設けられ前記電源回路を支持する支持部を有する遮熱板を具備する
ことを特徴とする請求項１または２記載の照明器具。
【請求項４】
前記筐体を支持し、天井に取り付けられる天板と；
前記天板に上端側が取り付けられ、下端側が前記複数の放熱フィン間を通じて前記本体部の外周面にねじ止め固定されるとともに下端側に引掛孔および突起のいずれか一方が設けられた落下防止金具と；
を具備し、
前記本体部は、前記引掛孔および前記突起のいずれか他方が設けられている
ことを特徴とする請求項１ないし３いずれか一記載の照明器具。
【発明の詳細な説明】
【技術分野】
【０００１】
本発明の実施形態は、発光モジュールを用いる照明器具に関する。
【背景技術】
【０００２】
従来、例えば、店舗等では、天井から吊り下げるペンダント形の照明器具が使用されている。このような照明器具においても、光源としてＬＥＤを有する発光モジュールが用いられてきている。
【０００３】
このような照明器具では、天井から吊り下げられる円筒状の電源筐体、およびこの電源筐体の下側に円筒状の光源筐体を連結した構造を採っており、光源筐体には発光モジュールが配置され、電源筐体には発光モジュールに電源を供給する電源回路が配置されている。
【先行技術文献】
【特許文献】
【０００４】
【特許文献１】特開平７−２４９３０９号公報
【発明の概要】
【発明が解決しようとする課題】
【０００５】
従来の構造の照明器具を単に小形化しようとした場合、発光モジュールおよび電源回路がそれぞれ発生する熱の放熱性を確保できなくなるおそれがある。
【０００６】
本発明が解決しようとする課題は、発光モジュールおよび電源回路がそれぞれ発生する熱の放熱性を確保するとともに、小形化できる照明器具を提供することである。
【課題を解決するための手段】
【０００７】
実施形態の照明器具は、発光モジュール、電源回路および筐体を有する。電源回路は、発光モジュールに電源を供給する。筐体は、下面に発光モジュールを配設するとともに内部に電源回路を収容する本体部、および本体部の外周面から一体に突出する複数の放熱フィンを有する。
【発明の効果】
【０００８】
本発明によれば、複数の放熱フィンを一体に設けた筐体を用い、この筐体に発光モジュールおよび電源回路を配置するため、発光モジュールおよび電源回路がそれぞれ発生する熱の放熱性を確保するとともに、小形化することが期待できる。
【図面の簡単な説明】
【０００９】
【図１】一実施形態を示す照明器具の断面図である。
【図２】同上照明器具の斜視図である。
【図３】同上照明器具の筐体の斜視図である。
【図４】同上照明器具の筐体の斜視図である。
【図５】同上照明器具の遮熱板および電源回路の斜視図である。
【図６】同上照明器具を天井に直付けした断面図である。
【発明を実施するための形態】
【００１０】
以下、一実施形態を、図１ないし図６を参照して説明する。
【００１１】
図１および図２に、天井吊下形であっていわゆるペンダント形の照明器具10を示す。照明器具10は、天板11、筐体12、光源ユニット13、電源ユニット14および反射鏡15等を備えている。
【００１２】
そして、天板11は、金属製で円板状に形成されている。天板11の中央には天井から吊り下げられる鎖20が連結される連結孔21が形成されている。さらに、天板11には、天井から配線される電源ケーブルを筐体12内に引き込むための引込孔22や、その他の取り付けに用いられる取付孔23が形成されている。
【００１３】
また、筐体12は、例えばアルミダイカスト等の金属製で一体に形成されている。筐体12は、本体部26、複数の放熱フィン27、および外筒部28等を有している。
【００１４】
本体部26は、円筒状の内筒部29、およびこの内筒部29内の上下方向の中間で下部寄り位置に配置される底板部30を有している。本体部26内の上部側には、上方に開口して電源ユニット14を収容する収納空間31が形成されている。底板部30の下面で内筒部29よりも中心側に、円筒状の筒部32が突出されている。筒部32の下端は内筒部29よりも下方に突出されている。筒部32内には光源ユニット13が配設されている。なお、筒部32の内側で底板部30に配線孔が形成されている。そして、本体部26の上部が天板11に組み合わされて固定される。
【００１５】
放熱フィン27は筐体12の外周面すなわち内筒部29の外周面から放射状に突出されている。放熱フィン27の上端は本体部26よりも下方に位置され、放熱フィン27の下端は本体部26と同じ位置とされている。底板部30の下面において内筒部29と筒部32との間にも、内筒部29の外周面に突出する放熱フィン27に連続して放熱フィン27が放射状に形成されている。
【００１６】
外筒部28は、円筒状で、本体部26の周囲に本体部26の外周面との間に間隔をあけて配置されるとともに複数の放熱フィン27の外径側先端に一体に形成されている。外筒部28の上端は本体部26よりも下方でかつ放熱フィン27よりも上方に位置され、外筒部28の下端は本体部26および放熱フィン27よりも上方に位置されている。
【００１７】
本体部26の内筒部29と外筒部28と複数の放熱フィン27との間に上下方向に連通する通気路33が形成されている。
【００１８】
図３および図４に示すように、筐体12は、天板11に対して落下防止金具34が用いられた落下防止構造を備えている。隣接する放熱フィン27の間で本体部26の外面下部に突起35および取付孔36が形成されている。突起35は、例えば四角柱形状であるが、円柱形状でもよい。
【００１９】
落下防止金具34は、隣接する放熱フィン27の間に挿通可能とする幅で上下方向に細長い金属板によって構成されている。落下防止金具34の上部には、天板11にねじ止めされる固定孔37が形成されている。落下防止金具34の下部には、突起35が挿通する引掛孔38およびねじ39が挿通する挿通孔40が形成されている。なお、本体部26に引掛孔38を設け、落下防止金具34に突起を設けてもよい。
【００２０】
また、図１に示すように、光源ユニット13は、発光モジュール42、反射体43、透光板44、パッキング45およびレンズ押え46等を有している。
【００２１】
発光モジュール42は、基板47の前面に複数の発光素子としてのＬＥＤ48が実装され、複数のＬＥＤ48が蛍光体を含有した封止樹脂で封止されている。すなわち、発光モジュール42は、ＣＯＢ（Chip On Board）モジュールによって構成されている。基板47の背面が筐体12の底板部30の下面に熱的に接触した状態に取り付けられている。
【００２２】
反射体43は、上下に開口する円筒状に形成され、内面が反射面として構成されている。反射体43の上端開口が発光モジュール42の発光部に対向されている。
【００２３】
透光板44は、透光性を有する例えばガラス製または樹脂製で、円板状に形成されている。
【００２４】
パッキング45は、反射体43の下端周辺部および透光板44の周辺部を保持し、筒部32の内側に嵌合されている。
【００２５】
レンズ押え46は、筒部32の下面に取り付けられ、パッキング45を介して反射体43および透光板44を筒部32内に保持している。
【００２６】
また、図１および図５に示すように、電源ユニット14は、電源回路51、およびこの電源回路51を筐体12に取り付ける取付板と兼用された遮熱板52を有している。
【００２７】
電源回路51は、交流電源を所定の直流電源に変換して発光モジュール42に供給する。電源回路51は、ケース53に収納され、遮熱板52によって底板部30から上方に離反した位置に配置される。電源回路51の電源入力側に天板11の引込孔22から引き込まれた電源ケーブルが電気的に接続され、電源回路51の出力側に発光モジュール42が電気的に接続されている。電源回路51と発光モジュール42とは底板部30の配線孔を挿通する電線で電気的に接続されている。
【００２８】
遮熱板52は、本体部26の内部の底板部30上に取り付けられる取付部54、この取付部54から上端側が外側方に拡開するように傾斜されて立ち上がる一対の立上げ部55、およびこれら立上げ部55の上端からそれぞれ外側方へ向けて延設された支持部56を有している。取付部54はねじ止め等によって底板部30に取り付けられている。支持部56上に電源回路51がねじ止め等によって取り付けられている。
【００２９】
また、反射鏡15は、上下に開口し、下方へ向かうにしたがって拡開する円筒状に形成されている。反射鏡15の内面が反射面に形成されている。反射鏡15は、取付金具59によって筐体12に取り付けられている。取付金具59は、中央部が開口された円筒状に形成され、上部側が筒部32の下部に取り付けられ、下部側に反射鏡15の上端部を係止して反射鏡15を支持している。
【００３０】
そして、このように構成された本実施形態の照明器具10は、例えば、９４Ｗの消費電力で、７２００lmの光束を発生する。
【００３１】
照明器具10は、図１および図２に示すように、天井に固定された鎖20によって吊下げ設置され、天井側からの電源ケーブルを通じて電源が供給される。
【００３２】
そして、電源ケーブルを通じて電源が電源回路51に供給されると、電源回路51からの点灯電力が発光モジュール42に供給され、発光モジュール42が発光する。
【００３３】
発光モジュール42が発生する光は、反射体43内、透光板44および反射鏡15を経て、反射鏡15の下部開口から下方へ照射される。
【００３４】
また、発光時に発光モジュール42が発生する熱は、主に、本体部26の底板部30に熱伝導され、底板部30から内筒部29、複数の放熱フィン27および外筒部28等に熱伝導され、これら内筒部29、複数の放熱フィン27および外筒部28等から外気中に放熱される。
【００３５】
本体部26の内筒部29と外筒部28と複数の放熱フィン27との間には上下方向に連通する通気路33が形成されているため、この通気路33の煙突効果によって通気路33内を下方から上方に流れる気流が発生し、放熱効果を向上させることができる。
【００３６】
発光モジュール42から底板部30に伝わった熱の一部は、底板部30の上面から収納空間31の空気中に放熱される。底板部30から上昇する熱気は、図１に矢印で示すように、遮熱板52の一対の立上げ部55および支持部56に沿って外側方へ流れ、すなわち、本体部26の内筒部29へ向けて流れ、内筒部29で吸熱されて内筒部29、複数の放熱フィン27および外筒部28等から外気中に放熱される。この熱気の流れによって、発光モジュール42からの熱が電源回路51に影響するのを低減することができる。
【００３７】
さらに、電源回路51が動作時に発生する熱は、収納空間31の空気中に放熱され、収納空間31の空気中から天板11および本体部26に伝わり、天板11および本体部26から外気中に放熱される。
【００３８】
このように、本実施形態の照明器具10では、複数の放熱フィン27を一体に設けた筐体12を用い、この筐体12に発光モジュール42および電源回路51を配置するため、発光モジュール42および電源回路51がそれぞれ発生する熱の放熱性を確保するとともに、小形化することができる。
【００３９】
また、筐体12が外筒部28を備えることにより、放熱面積を増加して放熱効果を向上できるとともに、放熱フィン27を隠蔽して意匠性を向上できる。
【００４０】
また、遮熱板52により、発光モジュール42からの熱が電源回路51に影響するのを低減することができる。
【００４１】
また、筐体12は天板11に対して落下防止が図られている。落下防止を図るには、図３および図４に示すように、落下防止金具34の上端部を天板11にねじ止め固定し、落下防止金具34の下端部を隣接する放熱フィン27間を通じて本体部26の外側面に沿って配置し、落下防止金具34の引掛孔38を本体部26の突起35に嵌合する。落下防止金具34の引掛孔38を本体部26の突起35に嵌合することにより、落下防止金具34に筐体12を仮止めすることができる。そして、ねじ39を落下防止金具34の挿通孔40から本体部26の取付孔36に螺合し、落下防止金具34を本体部26に固定する。これにより、落下防止金具34を用いた強固な落下防止構造が得られる。また、落下防止金具34の引掛孔38を本体部26の突起35に嵌合しているため、仮に、振動等でねじ39が緩んで外れても、落下防止効果を維持できる。
【００４２】
なお、放熱フィン27は、電源回路51よりも上方まで設けられていることが好ましい。このようにすることで、電源回路51から熱を効率よく放熱することができる。
【００４３】
また、照明器具10は、吊下げ形専用であれば、放熱フィン27および外筒部28を本体部26の上端部まで設けてもよい。
【００４４】
また、図６は、照明器具10を天井取付形であるシーリング器具として用いた例を示す。
【００４５】
この場合、図１に示したように照明器具10の天板11を鎖20で吊下げるのに代えて、天板11を天井62に固定する。この天井62に筐体12が取り付けられている。なお、反射鏡15は用いなくてもよいし用いてもよい。
【００４６】
照明器具10を天井直付け形として用いる場合、外筒部28が本体部26よりも下方に位置しているため、通気路33から上昇する熱気が天井62で遮られることなく、外気中に放出することができ、高い放熱性を維持できる。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
10    照明器具
11    天板
12    筐体
26    本体部
27    放熱フィン
28    外筒部
34    落下防止金具
35    突起
38    引掛孔
42    発光モジュール
51    電源回路
52    遮熱板
54    取付部
55    立上げ部
56    支持部
【図１】
2015170442.tif 000003
【図２】
2015170442.tif 000004
【図３】
2015170442.tif 000005
【図４】
2015170442.tif 000006
【図５】
2015170442.tif 000007
【図６】
2015170442.tif 000008